(57)【要約】      （修正有）【課題】絨毯や敷物などに付着した人毛やペツトの毛などの除去に用いる粘着テープを利用した掃除機において、ローラーに巻いた粘着テープ１回転分ごとに粘着テープを切り取る必要がなく、テープの長さだけ連続して使用できるものとする。【解決手段】粘着テープを下部ローラーと中間ローラーに８の字に巻き付けて粘着テープを転がすと、絨毯や敷物の毛や埃などを粘着しながら、テープは中間ローラーに巻き取られる。下部ローラーの粘着テープの残りが少なくなった場合には、逆方向に下部ローラーを転がすと粘着テープは毛や埃などを粘着しながら、粘着テープが中間ローラーから下部ローラーに移動するので、この繰り返しにより、粘着テープを切り取ることなく連続して使用することができる。【選択図】なし【特許請求の範囲】
【請求項１】
片面粘着テープ（１）ロール状のものを本装置の上部ローラー（２）に装着し、図−３のように下部ローラー（３）に巻き付けると下部ローラー（３）の表面はテープの粘着面となる。
粘着テープ（１）を図−３のように装着するとスプリング（６）を上部軸棒（４）と下部軸棒（５）に取り付けると上下軸は引きよせられて上部ローラー（２）と下部ローラー（３）によって粘着テープは下部ローラー（３）と密着する、いじょうが本装置の構造である。
【発明の詳細な説明】
【０００１】
［発明の属する技術分野］
この発明は、とくに絨毯の毛にからんだ人毛やペットの抜け毛や埃などを粘着テープの長さだけ連続して掃除することができ、
また上部の粘着テープが下部ローラーに巻きとられたら逆の方向に下部ローラーを転がすと粘着テープは上部ローラーに巻きとられる装置である。
【０００２】
［従来の技術］
従来、絨毯の掃除には粘着テープを使用したものがあるが、これは粘着テープのローラーを１回転分の長さしか使用することができずその都度テープを切り取るものである。
【０００３】
【発明が解決しようとする課題】
従来の粘着テープを使用した掃除機は粘着テープのローラー１回転分が汚れるとその度に粘着テープを切り取る不便なものである。
本発明品は、粘着テープの長さだけ連続して使用することができるまた、上部ローラーに装着した粘着テープが下部ローラーに巻き取られたら下部ローラーの転がす方向を逆にすると粘着テープは上部に移動する、これの繰り返しによって粘着テープの効力がなくなるまで連続して使用することができる。
【０００４】
［課題を解決するための手段］
粘着テープを切り取ることなく連続的に使用するために片面粘着テープ（裏面粘着テープ）（１）を上部ローラー（２）に装着し粘着テープを図−３ごとく８の字にして下部ローラー（３）に３回転くらい巻き付ける、下部ローラー（３）の表面は粘着面となる、
尚、粘着テープ（１）の端は下部ローラー（３）にはりつけて滑らないようにする、粘着テープ（１）の８の字の部分のたるみをとり、上部ローラー（２）の軸穴（７）は楕円形になっているので上部ローラー（２）を下方にさげて粘着テープを下部ローラー（３）のあいだに挟み上部ローラー軸（４）と下部ローラー軸（５）の両端にスプリング（６）をとりつけ上部ローラー（２）下部ローラー（３）の間に粘着テープを密着し本装置は完成とする。
【０００５】
［発明の実施の形態］
本発明がどうして粘着テープ（１）を連続して使用することができるのか下記の通り説明する。
（ａ）図−３の通り粘着テープを装着し図−４のように矢印の方向に絨毯の表面を下部ローラー（３）を転がすと密着している上部ローラー（２）に装着している粘着テープも矢印の方向に回転し粘着テープは絨毯に付着した抜け毛などほこりを粘着しながら下部ローラー（３）に巻き取られる。
（ｂ）上部ローラー（２）の粘着テープが残りすけなくなれば下部ローラー（３）の転がし方向を逆にすれば粘着テープは上部ローラー（２）に巻き取られる、おなじ動作を繰り返すことができ粘着テープの効力がなくなるまで連続に使うことができる。
（ｃ）粘着テープが抜け毛やほこりなどを粘着するとテープに厚みができて上部ローラー（２）が上方向に移動するため上部ローラー軸（４）の軸穴（７）は楕円形とする。
【０００６】
［発明の効果］
これまでも粘着テープを利用して絨毯などを掃除する器具はありますが、その能力はテープの長さで１回転分の効果しかなく、その都度テープを切りとる不便なものですが、この発明は粘着テープの長さだけ連続して使用できる便利な掃除器具である。
【図面の簡単な説明】
2004298593.tif 000002
2004298593.tif 000003
2004298593.tif 000004
【手続補正書】
【提出日】平成15年6月25日(2003.6.25)
【手続補正１】
【補正対象書類名】明細書
【補正対象項目名】請求項１
【補正方法】変更
【補正の内容】
【請求項１】
紙芯（４）に巻かれた粘着テープ（１）を図４のごとく８の字に巻かれた下部紙芯（５）を１セツトとして粘着テープ（１）を上部ローラー（２）と下部紙心（５）を下部ローラー（３）に装着して、スプリング（１０）により上部ローラー（２）と下部ローラー（３）が引きよせられて粘着テープ（１）と下部紙心（５）に巻かれた粘着テープが密着する、粘着テープ（１）は裏面が粘着面であるが、８の字に巻かれた紙心（５）の粘着テープの表面は粘着面となる。
いじょうが本装置の主な構造である。
【手続補正２】
【補正対象書類名】明細書
【補正対象項目名】０００４
【補正方法】変更
【補正の内容】
【０００４】
［課題を解決するための手段］
粘着テープを切り取ることなく連続に使用するために片面粘着テープ（裏面粘着テープ）（１）を下部紙芯（５）に図４のように８の字に巻き付けた粘着テープ（１）は上部ローラー（２）に、粘着面が表面の下部紙芯（５）は下部ローラー（３）に装着して、図６のように下部ローラーを矢印の方向に絨毬の上を転がすと埃や、毛などを粘着しながら粘着テープ（１）は下部紙芯（５）に巻き取られる。
粘着テープ（１）の残りが少けなくなれば、下部ローラーの転がし方向を逆にすると下部紙芯（５）の粘着テープは上部紙芯（４）に巻き取られる。
上記のように下部ローラーの転がし方向をかえるだけで粘着テープを連続して使用することができる。粘着テープに埃や毛などが付着したぶん粘着面が厚くなるので上部ローラーの軸穴（１１）は楕円形とする。
粘着テープ（１）の取り替えは上下ローラー軸の、スプリング（１０）、ツバ付きナツト（８）（９）をはずし上下ローラー軸（６）（７）をフレーム（１５）から抜くと上下ローラーと共に使用済みの粘着テープとテープ横ずれ防止デイスク（１３）及びワツシヤー（１４）が本装置から外れる。
新しい粘着テープ（１）の紙芯（４）と粘着テープを８の字に巻つけた下部紙芯（５）に使用済みの粘着テープから取り外した上下ローラー（２）（３）を取り付け、テープ横ずれ防止デイスク（１３）を上部ローラー（２）の位置に、ワツシヤー（１４）は下部ローラー（３）の位置にしてフレーム（１５）の上下軸穴（１１）（１２）に上下ローラー軸（６）（７）を挿入し、ツバ付きナツト（８）（９）を取り付けて左右スプリング（１０）をツバ付きナツトにかければ粘着テープの取り替えは完了である。


【手続補正３】
【補正対象書類名】明細書
【補正対象項目名】０００５
【補正方法】変更
【補正の内容】
【０００５】
［発明の実施の形態］
本発明がどうして粘着テープ（１）を連続して使用すことができるのか下記の通り説明する。
（ａ）図４のごとく粘着テープ（裏面が粘着テープ）（１）を８の字に下部紙芯（５）に巻き付けると下部紙芯（５）の表面は粘着面となる、粘着テープ（１）と下部紙芯（５）に巻かれた粘着テープはスプリング（１０）により密着しているので下部紙芯（５）の粘着テープが回転すると図６のように粘着テープ（１）も同調して回転する。
（ｂ）絨毬の上を下部紙芯（５）の粘着テープを図６の矢印の方向に転がすと埃、毛などを粘着しながら粘着テープ（１）は下部紙芯（５）に巻き取られて行く。
（ｃ）粘着テープ（１）が下部ローラーの紙芯（５）に巻き取られて残りがすけなくなれば下部ローラーの転がり方向を逆にすれば粘着テープ（１）は下部から上部に移動することにより粘着テープを連続して使用することができる。


【手続補正４】
【補正対象書類名】明細書
【補正対象項目名】図面の簡単な説明
【補正方法】追加
【補正の内容】
【図面の簡単な説明】
【図１】本発明の正面図である。
【図２】本発明の側面図である。
【図３】本発明の中央断面図である。
【図４】本発明の粘着テープを８の字に巻き付けた図面である。
【図５】本発明の粘着テープを８の字に巻き付けた上下粘着テープを１セツトにした図面である。
【図６】本発明の上下ローラーと粘着テープの回転方向を矢印で示した図面である。
【符号の説明】
１                      粘着テープ（ロール状で裏面が粘着面のもの）
２                      上部ローラー
３                      下部ローラー
４                      上部紙芯
５                      下部紙芯
６                      上部ローラー軸
７                      下部ローラー軸
８                      上部つば付きナツト
９                      下部つば付きナツト
１０                      スプリング（引きよせタイプ）
１１                      上部ローラー軸穴（楕円形）
１２                      下部ローラー軸穴
１３                      粘着テープ横ずれ防止デイスク
１４                      ワツシヤー
１５                      フレーム
１６                      柄


【手続補正５】
【補正対象書類名】図面
【補正対象項目名】全図
【補正方法】追加
【補正の内容】
【図１】
2004298593.tif 000005
【図２】
2004298593.tif 000006
【図３】
2004298593.tif 000007
【図４】
2004298593.tif 000008
【図５】
2004298593.tif 000009
【図６】
2004298593.tif 000010
【手続補正書】
【提出日】平成15年10月16日(2003.10.16)
【手続補正１】
【補正対象書類名】明細書
【補正対象項目名】全文
【補正方法】変更
【補正の内容】
【特許請求の範囲】
【請求項１】下部紙芯ローラー（２）に巻かれた粘着テープ（表面が粘着面）（１）と図１２のごとく８の字に巻かれた中間紙芯ローラー（３）とがこの本発明の掃除機に粘着テープ  カセツト図６として使用する。
柄（１９）のテーパー部（２０）を抜くとフレーム（５）がピン（６）を中心に二つに分かれるので粘着テープカセツトの下部軸（７）をフレーム（５）の下部軸穴（１４）の位置に、中間軸（８）を楕円形軸穴（１５）の位置にセツトする、その上に、上部ローラー（４）を置く。
二つに分かれたフレーム（５）を閉じて柄（１９）をしつかりとテーパー部（２０）に差し込む、
上部軸平形ゴム輪受（１１）と下部軸平形ゴム輪受（１０）に平形ゴム輪（１２）を装着すれば本装置は完成となる。
使用済みの粘着テープを新しい粘着テープカセツト図６と取り替える操作も同じである。
【発明の詳細な説明】
【０００１】
【発明の属する技術分野】
この発明は、絨毯の毛にからんだ人毛やペツトの抜け毛や埃などを粘着テープの長さだけ連続して使用することができ、下部の粘着テープが中間ローラーに巻き取られたら、逆の方向に下部ローラーを転がすと粘着テープは中間ローラーから下部ローラーに巻き戻される構造である。
【０００２】
【従来の技術】
従来、絨毯などにからんだ人毛やペツトの毛などの掃除には粘着テープを利用したものがあるが、これはローラーの１回転分しか使用することができず、その都度テープを切り取るものである。
【０００３】
【発明が解決しようとする課題】
従来の粘着テープを使用した掃除機は粘着テープのローラー１回転分が汚れると、その度に粘着テープを切り取る不便なものである。
本発明は、粘着テープの長さだけ連続して使用することができる、また下部ローラーの粘着テープが中間ローラーに巻き取られたら、下部ローラーの転がす方向を逆にすると粘着テープは中間ローラーから下部ローラーに移動する、この繰り返しによって粘着テープの効力がなくなるまで連続して使用することができる。
【０００４】
【課題を解決するための手段】
粘着テープを切り取ることなく連続に使用するために片面が粘着テープ（表面が粘着面）（１）を中間紙芯ローラー（３）に図１２のごとく８の字に巻き付けた粘着テープカセツト図６と上部ローラー図８をフレーム（５）に装着し下部軸平形ゴム輪受（１０）上部軸平形ゴム輪受（１１）に平形ゴム輪（１２）を装着し各ローラーを密着する、図１３の矢印の方向に粘着テープ（１）を転がすと埃や毛などを粘着しながら粘着テープ（１）は中間紙芯ローラー（３）に巻き取られる。
粘着テープ（１）の残りがすけなくなれば、粘着テープ（１）の転がし方向を図１４のように逆にすれば粘着テープ（１）は中間紙芯ローラー（３）から下部紙芯ローラー（２）に巻き取られる。
上記のように粘着テープの転がし方向をかえるだけで連続して使用することができる、粘着テープに埃や毛などを粘着したぶん粘着テープが厚くなるので中間ローラー軸（８）と上部ローラー軸（９）の軸受け穴は楕円形（１５）とする。使用済みの粘着テープの取り替えは、平形ゴム輪（１２）を取り外し、柄（１９）をフレーム（５）のテーパー部（２０）から抜くとフレーム（５）はピン（６）を中心に二つに分かれる、汚れた粘着テープカセツト図６と、新しい粘着テープカセツト図６を交換しフレーム（５）を閉じて柄（１９）をしつかりとフレーム（５）のテーパー部（２０）に差し込み平形ゴム輪（１２）を平形ゴム輪受（１０）（１１）に装着すれば完成である。
【０００５】
【発明の実施の形態】
本発明がどうして粘着テープ（１）を連続して使用することができるのか、下記の通り説明する。
（Ａ）図１２のごとく粘着テープ（表面が粘着面）（１）を８の字に中間紙芯ローラー（３）に巻き付けて、その上から上部ローラー（４）と平形ゴム輪（１２）により粘着テープを密着する。
（Ｂ）絨毯などの上を粘着テープ（１）を図１３の矢印の方向に転がすと埃や毛などを粘着しながら粘着テープ（１）は中間紙芯ローラー（３）に巻き取られて行く。
（Ｃ）粘着テープ（１）が中間紙芯ローラー（３）に巻き取られて残りがすけなくなれば、下部紙芯ローラー（２）の転がり方向を図１４の矢印のように逆にすれば、中間紙芯ローラー（３）の粘着テープは下部紙芯ローラー（２）に移動する、この動作の繰り返しにより連続して使用することができる。
【０００６】
【発明の効果】
これまでも粘着テープを利用して絨毯などを掃除する器具はありますが、その能力はテープの長さでローラー１回転分の効果しかなく、その都度テープを手で切り取る不便なものですが、この発明は粘着テープの長さだけ連続して使用することができる便利な掃除器具である。
【図面の簡単な説明】
【図１】本発明の正面図
【図２】本発明の側面図
【図３】本発明の中央断面図
【図４】本発明のフレーム開放正面図
【図５】本発明のフレーム開放側面図
【図６】本発明の粘着テープカセツト正面図
【図７】本発明の粘着テープカセツト側面図
【図８】本発明の上部ローラーの正面図
【図９】本発明の上部ローラーの側面図
【図１０】本発明のローラー組み合わせ正面図
【図１１】本発明のローラー組み合わせ側面図
【図１２】本発明の粘着テープを８の字に巻き付けた図
【図１３】本発明の下部ローラーの粘着テープを矢印の方向に転がしたときのローラーの回転方向
【図１４】本発明の下部ローラーの粘着テープを矢印の方向に転がしたときのローラーの回転方向
【符号の説明】
１．      粘着テープ
２．      下部紙芯ローラー
３．      中間紙芯ローラー
４．      上部ローラー
５．      フレーム
６．      ピン
７．      下部紙芯ローラー軸
８．      中間紙芯ローラー軸
９．      上部ローラー軸
１０．      下部軸平形ゴム輪受
１１．      上部軸平形ゴム輪受
１２．      平形ゴム輪
１３．      中間軸ストツパー
１４．      下部軸穴
１５．      中間軸  上部軸  楕円形軸穴
１６．      下部紙芯ローラー軸穴
１７．      中間紙芯ローラー軸穴
１８．      上部ローラー軸穴
１９．      柄
２０．      テーパー部


【手続補正２】
【補正対象書類名】図面
【補正対象項目名】全図
【補正方法】変更
【補正の内容】
【図１】
2004298593.tif 000011
【図２】
2004298593.tif 000012
【図３】
2004298593.tif 000013
【図４】
2004298593.tif 000014
【図５】
2004298593.tif 000015
【図６】
2004298593.tif 000016
【図７】
2004298593.tif 000017
【図８】
2004298593.tif 000018
【図９】
2004298593.tif 000019
【図１０】
2004298593.tif 000020
【図１１】
2004298593.tif 000021
【図１２】
2004298593.tif 000022
【図１３】
2004298593.tif 000023
【図１４】
2004298593.tif 000024